(57)【要約】      （修正有）【課題】停電又は瞬低エリアを表示する地図データのメインテナンスを効率化する。【解決手段】電力系統の電力系統設備を示す電力系統設備情報と、電力系統から電力が供給される地域が所定分割されたエリアを示すエリア情報とを対応付けて記憶するエリア情報記憶部と、地域がエリアに所定分割されて表わされた地図を示す地図情報を記憶する地図情報記憶部と、電力系統の状態を監視する監視制御装置から電力系統での事故が発生した設備を示す電力系統設備情報に対してエリア情報記憶部により対応付けられて記憶されたエリア情報と、地図情報記憶部に記憶された地図情報とに基づいて、エリア情報の示すエリアを事故により停電又は瞬低が起きたエリアとして地図情報の示す地図の上に表示するための停電・瞬低エリア図情報を生成する停電・瞬低エリア図情報生成部と、を備えたことを特徴とする停電・瞬低エリア図情報生成装置。【選択図】図１
2006149026.tif 000002
【特許請求の範囲】
【請求項１】
電力系統の電力系統設備を示す電力系統設備情報と、当該電力系統から電力が供給される地域が所定分割されたエリアを示すエリア情報とを対応付けて記憶するエリア情報記憶部と、
前記地域が前記エリアに所定分割されて表わされた地図を示す地図情報を記憶する地図情報記憶部と、
前記電力系統の状態を監視する監視制御装置から当該電力系統での事故が発生した設備を示す前記電力系統設備情報に対して前記エリア情報記憶部により対応付けられて記憶されたエリア情報と、前記地図情報記憶部に記憶された地図情報とに基づいて、当該エリア情報の示すエリアを前記事故により停電又は瞬低が起きたエリアとして当該地図情報の示す地図の上に表示するための停電・瞬低エリア図情報を生成する停電・瞬低エリア図情報生成部と、
を備えたことを特徴とする停電・瞬低エリア図情報生成装置。
【請求項２】
前記エリア情報記憶部は、１つの前記電力系統設備が１つの前記エリアに対応付けられた第１エリア情報と、複数の前記電力系統設備が１つの前記エリアに対応付けられた第２エリア情報とを記憶し、
前記事故が発生した設備を示す電力系統設備情報に対して前記エリア情報記憶部により対応付けられて記憶されたエリア情報が前記第１エリア情報及び前記第２エリア情報の何れであるかを判定する判定部を備え、
前記停電・瞬低エリア図情報生成部は、前記判定部により前記第１エリア情報と判定されたエリア情報が示すエリアと、前記判定部により前記第２エリア情報と判定されたエリア情報が示すエリアとを区別して表示するための前記停電・瞬低エリア図情報を生成する、
ことを特徴とする請求項１に記載の停電・瞬低エリア図情報生成装置。
【請求項３】
前記エリア情報記憶部は、１つの前記電力系統設備が１つの前記エリアに対応付けられた第１エリア情報と、複数の前記電力系統設備が１つの前記エリアに対応付けられた第２エリア情報とを記憶し、
前記事故が発生した設備を示す電力系統設備情報に対して前記エリア情報記憶部により対応付けられて記憶されたエリア情報が前記第１エリア情報及び前記第２エリア情報の何れであるかを判定する第１判定部と、
前記事故が発生した設備を示す電力系統設備情報に基づいて、前記第１判定部により前記第２エリア情報と判定されたエリア情報に対応する電力系統設備が前記事故の発生していない電力系統設備を含むか否かを判定する第２判定部と、を備え、
前記停電・瞬低エリア図情報生成部は、前記第１判定部により前記第１エリア情報と判定されたエリア情報及び前記第２判定部により前記事故の発生していない電力系統設備を含まないと判定されたエリア情報が示すエリアと、前記第２判定部により前記事故の発生していない電力系統設備を含むと判定されたエリア情報が示すエリアとを区別して表示するための前記停電・瞬低エリア図情報を生成する、
ことを特徴とする請求項１に記載の停電・瞬低エリア図情報生成装置。
【請求項４】
前記電力系統設備情報は、該当の電力系統における変電所又は母線を示す情報であり、
前記エリア情報は、該当の地域における行政界の領域を示す情報であり、
前記エリア情報記憶部は、前記変電所又は母線を示す情報と、当該変電所又は母線から電力が供給されている前記行政界の領域を示す情報とを対応付けて記憶する、
ことを特徴とする請求項１乃至３の何れかに記載の停電・瞬低エリア図情報生成装置。
【請求項５】
前記電力系統設備情報は、該当の電力系統における母線のフィーダを示す情報であり、
前記エリア情報は、該当の地域における行政界の領域を示す情報であり、
前記エリア情報記憶部は、前記フィーダを示す情報と、当該フィーダから電力が供給されている前記行政界の領域を示す情報とを対応付けて記憶する、
ことを特徴とする請求項１乃至３の何れかに記載の停電・瞬低エリア図情報生成装置。
【請求項６】
前記行政界の領域を示す情報は、都道府県名、市区町村名、町大字名、又は町丁目名である、ことを特徴とする請求項４又は５の何れかに記載の停電・瞬低エリア図情報生成装置。
【請求項７】
前記停電・瞬低エリア図情報は、前記停電又は瞬低が起きたエリアを特定する特定情報と、停電及び瞬低が起きていない前記エリアを特定する特定情報とを有する、ことを特徴とする請求項１に記載の停電・瞬低エリア図情報生成装置。
【請求項８】
前記停電・瞬低エリア図情報は、前記第１エリア情報と判定されたエリア情報が示すエリアを特定する特定情報と、前記第２エリア情報と判定されたエリア情報が示すエリアを特定する特定情報と、停電及び瞬低が起きていない前記エリアを特定する特定情報と、を有する、ことを特徴とする請求項２に記載の停電・瞬低エリア図情報生成装置。
【請求項９】
前記停電・瞬低エリア図情報は、
前記第１エリア情報と判定されたエリア情報、及び前記事故の発生していない電力系統設備を含まない前記第２エリア情報と判定されたエリア情報が示すエリアを特定する特定情報と、
前記事故の発生していない電力系統設備を含む前記第２エリア情報と判定されたエリア情報が示すエリアを特定する特定情報と、
停電及び瞬低が起きていない前記エリアを特定する特定情報と、を有する、
ことを特徴とする請求項３に記載の停電・瞬低エリア図情報生成装置。
【請求項１０】
前記特定情報は、色又はパターン情報である、ことを特徴とする請求項７乃至９の何れかに記載の停電・瞬低エリア図情報生成装置。
【請求項１１】
電力系統の電力系統設備を示す電力系統設備情報と、当該電力系統から電力が供給される地域が所定分割されたエリアを示すエリア情報とを対応付けて記憶するエリア情報記憶部と、前記地域が前記エリアに所定分割されて表わされた地図を示す地図情報を記憶する地図情報記憶部と、前記電力系統の状態を監視する監視制御装置から当該電力系統での事故が発生した設備を示す前記電力系統設備情報に対して前記エリア情報記憶部により対応付けられて記憶されたエリア情報と、前記地図情報記憶部に記憶された地図情報とに基づいて、当該エリア情報の示すエリアを前記事故により停電又は瞬低が起きたエリアとして当該地図情報の示す地図の上に表示するための停電・瞬低エリア図情報を生成する停電・瞬低エリア図情報生成部と、を有する停電・瞬低エリア図情報生成装置と、
前記停電・瞬低エリア図情報に基づいて、前記事故により停電又は瞬低が起きたエリアを前記地図の上に表示する表示部を有する、前記停電・瞬低エリア図情報生成装置と通信可能に接続されるエリア表示装置と、
を備えたことを特徴とするエリア表示システム。
【請求項１２】
前記表示部は、前記事故により停電又は瞬低が起きたエリアを前記地図の上に視認可能に表示するためのカラーディスプレイ又はカラープリンタを有する、ことを特徴とする請求項１１に記載のエリア表示システム。
【請求項１３】
電力系統の電力系統設備を示す電力系統設備情報と、当該電力系統から電力が供給される地域が所定分割されたエリアを示すエリア情報とを対応付けて記憶するエリア情報記憶部により、前記電力系統の状態を監視する監視制御装置から当該電力系統での事故が発生した設備を示す前記電力系統設備情報に対応付けられて記憶されたエリア情報と、
前記地域が前記エリアに所定分割されて表わされた地図を示す地図情報を記憶する地図情報記憶部に記憶された地図情報と、に基づいて、
当該エリア情報の示すエリアを前記事故により停電又は瞬低が起きたエリアとして当該地図情報の示す地図の上に表示するための停電・瞬低エリア図情報を生成する、
ことを特徴とする停電・瞬低エリア図情報生成方法。
【請求項１４】
電力系統の電力系統設備を示す電力系統設備情報と、当該電力系統から電力が供給される地域が所定分割されたエリアを示すエリア情報とを対応付けて記憶するエリア情報記憶部により、前記電力系統の状態を監視する監視制御装置から当該電力系統での事故が発生した設備を示す前記電力系統設備情報に対応付けられて記憶されたエリア情報と、
前記地域が前記エリアに所定分割されて表わされた地図を示す地図情報を記憶する地図情報記憶部に記憶された地図情報と、に基づいて、
当該エリア情報の示すエリアを前記事故により停電又は瞬低が起きたエリアとして当該地図情報の示す地図の上に表示するための停電・瞬低エリア図情報を生成する、
ことを特徴とする停電・瞬低エリア図情報生成装置に用いられるプログラム。
【発明の詳細な説明】
【技術分野】
【０００１】
本発明は、電力系統で発生した事故により停電又は瞬低が起きたエリアを地図の上に表示するための停電・瞬低エリア図情報を生成する停電・瞬低エリア図情報生成装置、停電・瞬低エリア図情報生成方法、及びプログラム、並びに前記表示を行うエリア表示システムに関する。
【背景技術】
【０００２】
例えば特許文献１に開示されているように、電力系統で発生した事故により停電又は瞬時電圧降下が起きたエリアを地図の上に表示する場合、適宜な作図用ソフトウェアにより、予め複数のポリゴンデータから構成される地図のデータに基づいて作図することが知られている。各ポリゴンデータは、例えば、変電所の母線から引き出されたフィーダにおける開閉器間の区間に概ね対応するように生成されている。
【０００３】
電力系統に事故が発生した場合、この事故の発生箇所等の情報が電力系統設備情報として監視制御装置から出力される。そこで、この電力系統設備情報に基づいて例えば事故の発生箇所が表示された電力系統図のデータと、前述した複数のポリゴンデータから構成される地図のデータとを重ね合わせることにより、停電が起きたエリア（以後、停電エリアと呼ぶ）又は瞬時電圧低下が起きたエリア（以後、瞬低エリアと呼ぶ）に対応するポリゴンデータが決定される。このように決定されたポリゴンデータに基づいて、適宜なディスプレイ又は紙面上に停電又は瞬低エリアを表示すべく作図が行われる。
【特許文献１】特開平７−２２７０４２号公報
【発明の開示】
【発明が解決しようとする課題】
【０００４】
ところで、電力が供給される地域において多くの電力ユーザは行政界の区分に従って配置されているため、前述した停電又は瞬低エリアは、行政界の領域に行政界名（住所）が表示された一般の地図の上に表示される必要がある。よって、この行政界と、前述のポリゴンデータによる区分との関係に応じて、複数のポリゴンデータから構成される地図のデータに行政界名のデータを予め書き加えておかなければならない。また、もし電力系統図のデータに変更があれば、地図のデータを構成する複数のポリゴンデータ及び行政界名のデータをともに変更する必要が生じる。このようなメインテナンスは、作業量が比較的多いため非効率である。このメインテナンスは、もし前述した監視制御装置を管理する系統運用者により行われる場合、この系統運用者が専念すべき系統運用の作業に支障をきたす虞がある。
【０００５】
本発明は、かかる課題に鑑みてなされたものであり、その目的とするところは、停電又は瞬低エリアを表示する地図のデータのメインテナンスを効率化することにある。
【課題を解決するための手段】
【０００６】
前記課題を解決するための発明は、電力系統の電力系統設備を示す電力系統設備情報と、当該電力系統から電力が供給される地域が所定分割されたエリアを示すエリア情報とを対応付けて記憶するエリア情報記憶部と、前記地域が前記エリアに所定分割されて表わされた地図を示す地図情報を記憶する地図情報記憶部と、前記電力系統の状態を監視する監視制御装置から当該電力系統での事故が発生した設備を示す前記電力系統設備情報に対して前記エリア情報記憶部により対応付けられて記憶されたエリア情報と、前記地図情報記憶部に記憶された地図情報とに基づいて、当該エリア情報の示すエリアを前記事故により停電又は瞬低が起きたエリアとして当該地図情報の示す地図の上に表示するための停電・瞬低エリア図情報を生成する停電・瞬低エリア図情報生成部と、を備えたことを特徴とする停電・瞬低エリア図情報生成装置。
【０００７】
また、かかる停電・瞬低エリア図情報生成装置において、前記エリア情報記憶部は、１つの前記電力系統設備が１つの前記エリアに対応付けられた第１エリア情報と、複数の前記電力系統設備が１つの前記エリアに対応付けられた第２エリア情報とを記憶し、前記事故が発生した設備を示す電力系統設備情報に対して前記エリア情報記憶部により対応付けられて記憶されたエリア情報が前記第１エリア情報及び前記第２エリア情報の何れであるかを判定する判定部を備え、前記停電・瞬低エリア図情報生成部は、前記判定部により前記第１エリア情報と判定されたエリア情報が示すエリアと、前記判定部により前記第２エリア情報と判定されたエリア情報が示すエリアとを区別して表示するための前記停電・瞬低エリア図情報を生成してもよい。
【０００８】
また、かかる停電・瞬低エリア図情報生成装置において、前記エリア情報記憶部は、１つの前記電力系統設備が１つの前記エリアに対応付けられた第１エリア情報と、複数の前記電力系統設備が１つの前記エリアに対応付けられた第２エリア情報とを記憶し、前記事故が発生した設備を示す電力系統設備情報に対して前記エリア情報記憶部により対応付けられて記憶されたエリア情報が前記第１エリア情報及び前記第２エリア情報の何れであるかを判定する第１判定部と、前記事故が発生した設備を示す電力系統設備情報に基づいて、前記第１判定部により前記第２エリア情報と判定されたエリア情報に対応する電力系統設備が前記事故の発生していない電力系統設備を含むか否かを判定する第２判定部と、を備え、前記停電・瞬低エリア図情報生成部は、前記第１判定部により前記第１エリア情報と判定されたエリア情報及び前記第２判定部により前記事故の発生していない電力系統設備を含まないと判定されたエリア情報が示すエリアと、前記第２判定部により前記事故の発生していない電力系統設備を含むと判定されたエリア情報が示すエリアとを区別して表示するための前記停電・瞬低エリア図情報を生成してもよい。
【０００９】
この停電・瞬低エリア図情報生成装置は、例えば事故の発生時に監視制御装置から電力系統設備情報を受信すると、エリア情報記憶部を参照しこの電力系統設備情報に対応付けられたエリア情報を読み出す。例えば、このエリア情報の示すエリアとは、停電又は瞬低が起きたエリア、又は、停電及び瞬低が起きていないとは断定できないエリアである。また、例えば、このエリア情報が行政界名であれば、一般の地図情報に対して行政界名に該当する領域の例えば色情報を適宜設定することにより、停電又は瞬低が起きたエリア、停電及び瞬低が起きていないエリア、前記２つのエリアの何れであるか断定できないエリアを区別して色表示した地図情報を生成できる。前記表示の際には例えば色情報を設定するだけでよいため、地図情報記憶部には特にメインテナンスは必要なく、エリア情報記憶部のみをメインテナンスすればよいことになる。これにより、停電又は瞬低エリアを表示する地図のデータのメインテナンスが効率化されたことになる。
【００１０】
また、かかる停電・瞬低エリア図情報生成装置において、前記電力系統設備情報は、該当の電力系統における変電所又は母線を示す情報であり、前記エリア情報は、該当の地域における行政界の領域を示す情報であり、前記エリア情報記憶部は、前記変電所又は母線を示す情報と、当該変電所又は母線から電力が供給されている前記行政界の領域を示す情報とを対応付けて記憶してもよい。
【００１１】
もし変電所又は母線に事故が発生すれば、当該変電所又は母線から電力が供給されている行政界の領域には停電又は瞬低が起きたことになるため、当該行政界の領域を、停電又は瞬低が起きたエリアとして地図の上に表示できる。
【００１２】
また、かかる停電・瞬低エリア図情報生成装置において、前記電力系統設備情報は、該当の電力系統における母線のフィーダを示す情報であり、前記エリア情報は、該当の地域における行政界の領域を示す情報であり、前記エリア情報記憶部は、前記フィーダを示す情報と、当該フィーダから電力が供給されている前記行政界の領域を示す情報とを対応付けて記憶してもよい。
【００１３】
もし母線のフィーダに事故が発生すれば、当該フィーダから電力が供給されている行政界の領域には停電又は瞬低が起きたことになるため、当該行政界の領域を、停電又は瞬低が起きたエリアとして地図の上に表示できる。また、例えば同一の母線から複数のフィーダが分岐している場合に一部のフィーダのみで事故が発生したとき、同一の母線であっても事故が発生していない他のフィーダから電力が供給されている行政界の領域には停電及び瞬低の何れも起きていない。よって、エリア情報記憶部が、変電所又は母線そのものよりも、そのフィーダを示す情報に対して行政界の領域を示す情報を対応付けて記憶する方が、停電又は瞬低が起きたエリアの表示精度を向上させることができる。
【００１４】
また、かかる停電・瞬低エリア図情報生成装置において、前記行政界の領域を示す情報は、都道府県名、市区町村名、町大字名、又は町丁目名であってもよい。
【００１５】
また、かかる停電・瞬低エリア図情報生成装置において、前記停電・瞬低エリア図情報は、前記停電又は瞬低が起きたエリアを特定する特定情報と、停電及び瞬低が起きていない前記エリアを特定する特定情報とを有してもよい。
【００１６】
また、かかる停電・瞬低エリア図情報生成装置において、前記停電・瞬低エリア図情報は、前記第１エリア情報と判定されたエリア情報が示すエリアを特定する特定情報と、前記第２エリア情報と判定されたエリア情報が示すエリアを特定する特定情報と、停電及び瞬低が起きていない前記エリアを特定する特定情報と、を有してもよい。
【００１７】
ここで、第１エリア情報と判定されたエリア情報が示すエリアは、停電又は瞬低が起きたエリアであり、第２エリア情報と判定されたエリア情報が示すエリアは、停電又は瞬低が起きたエリアと、停電及び瞬低が起きていないとは断定できないエリアとを合わせたエリアである。
【００１８】
また、かかる停電・瞬低エリア図情報生成装置において、前記停電・瞬低エリア図情報は、前記第１エリア情報と判定されたエリア情報、及び前記事故の発生していない電力系統設備を含まない前記第２エリア情報と判定されたエリア情報が示すエリアを特定する特定情報と、前記事故の発生していない電力系統設備を含む前記第２エリア情報と判定されたエリア情報が示すエリアを特定する特定情報と、停電及び瞬低が起きていない前記エリアを特定する特定情報と、を有してもよい。
【００１９】
ここで、第１エリア情報と判定されたエリア情報、及び事故の発生していない電力系統設備を含まない第２エリア情報と判定されたエリア情報が示すエリアは、停電又は瞬低が起きたエリアであり、事故の発生していない電力系統設備を含む第２エリア情報と判定されたエリア情報が示すエリアは、停電及び瞬低が起きていないとは断定できないエリアである。
【００２０】
また、かかる停電・瞬低エリア図情報生成装置において、前記特定情報は、色又はパターン情報であってもよい。
【００２１】
また、前記課題を解決するための発明は、電力系統の電力系統設備を示す電力系統設備情報と、当該電力系統から電力が供給される地域が所定分割されたエリアを示すエリア情報とを対応付けて記憶するエリア情報記憶部と、前記地域が前記エリアに所定分割されて表わされた地図を示す地図情報を記憶する地図情報記憶部と、前記電力系統の状態を監視する監視制御装置から当該電力系統での事故が発生した設備を示す前記電力系統設備情報に対して前記エリア情報記憶部により対応付けられて記憶されたエリア情報と、前記地図情報記憶部に記憶された地図情報とに基づいて、当該エリア情報の示すエリアを前記事故により停電又は瞬低が起きたエリアとして当該地図情報の示す地図の上に表示するための停電・瞬低エリア図情報を生成する停電・瞬低エリア図情報生成部と、を有する停電・瞬低エリア図情報生成装置と、前記停電・瞬低エリア図情報に基づいて、前記事故により停電又は瞬低が起きたエリアを前記地図の上に表示する表示部を有する、前記停電・瞬低エリア図情報生成装置と通信可能に接続されるエリア表示装置と、を備えたことを特徴とするエリア表示システム。
【００２２】
また、かかるエリア表示システムにおいて、前記表示部は、前記事故により停電又は瞬低が起きたエリアを前記地図の上に視認可能に表示するためのカラーディスプレイ又はカラープリンタを有してもよい。
【００２３】
また、前記課題を解決するための発明は、電力系統の電力系統設備を示す電力系統設備情報と、当該電力系統から電力が供給される地域が所定分割されたエリアを示すエリア情報とを対応付けて記憶するエリア情報記憶部により、前記電力系統の状態を監視する監視制御装置から当該電力系統での事故が発生した設備を示す前記電力系統設備情報に対応付けられて記憶されたエリア情報と、前記地域が前記エリアに所定分割されて表わされた地図を示す地図情報を記憶する地図情報記憶部に記憶された地図情報と、に基づいて、当該エリア情報の示すエリアを前記事故により停電又は瞬低が起きたエリアとして当該地図情報の示す地図の上に表示するための停電・瞬低エリア図情報を生成する、ことを特徴とする停電・瞬低エリア図情報生成方法。
【００２４】
また、前記課題を解決するための発明は、電力系統の電力系統設備を示す電力系統設備情報と、当該電力系統から電力が供給される地域が所定分割されたエリアを示すエリア情報とを対応付けて記憶するエリア情報記憶部により、前記電力系統の状態を監視する監視制御装置から当該電力系統での事故が発生した設備を示す前記電力系統設備情報に対応付けられて記憶されたエリア情報と、前記地域が前記エリアに所定分割されて表わされた地図を示す地図情報を記憶する地図情報記憶部に記憶された地図情報と、に基づいて、当該エリア情報の示すエリアを前記事故により停電又は瞬低が起きたエリアとして当該地図情報の示す地図の上に表示するための停電・瞬低エリア図情報を生成する、ことを特徴とする停電・瞬低エリア図情報生成装置に用いられるプログラム。
【発明の効果】
【００２５】
停電又は瞬低エリアを表示する地図のデータのメインテナンスが効率化される。
【発明を実施するための最良の形態】
【００２６】
＝＝＝エリア表示システムの構成＝＝＝
図１のブロック図に例示されるように、本実施の形態のエリア表示システム５は、エリア図情報生成システム（停電・瞬低エリア図情報生成装置）１０と、端末（エリア表示装置）６０とがイントラネット７０を通じて相互に接続されて構成されたシステムである。
【００２７】
本実施の形態のエリア図情報生成システム１０は、主として、アプリケーションサーバ１１０と、データベースサーバ１２０と、ＷＷＷサーバ１３０と、地図サーバ１４０と、システム監視装置１５０とが、例えばＬＡＮ等の通信網１７０を通じて相互に接続されて構成された情報処理装置群である。尚、ファイアウォール１６０は、このエリア図情報生成システム１０を不正侵入から防御する装置である。
【００２８】
アプリケーションサーバ１１０は、後述する、非境界エリア情報データ、境界エリア情報データ、及びエリア図情報データを生成する等、エリア図情報生成システム１０の主たる処理を実行する情報処理装置である。
【００２９】
データベースサーバ１２０は、非境界エリア情報データベース１２１及び境界エリア情報データベース１２２を備え、これらのデータベース１２１、１２２におけるデータの入出力を管理する情報処理装置である。
【００３０】
ＷＷＷサーバ１３０は、エリア図情報データを端末６０に送信する情報処理装置である。
【００３１】
地図サーバ１４０は、後述する地図情報データベース１４１を備え、この地図情報データベース１４１における地図情報データ及びエリア図情報データの入出力を管理する情報処理装置である。
【００３２】
システム監視装置１５０は、各サーバ１１０、１２０、１３０、１４０の状態を監視し、当該状態をカラーディスプレイ１５０ａに適宜表示させる機能を有する情報処理装置である。
【００３３】
本実施の形態の端末６０は、電力系統２０を管理する電力会社の社員が使用する情報処理装置であり、後述するエリア図情報を適宜表示するためのカラーディスプレイ６０ａを備えている。尚、エリア図情報を表示する表示部は、このカラーディスプレイ６０ａに限定されるものではなく、例えばカラープリンタといったエリア図情報を紙面にカラー印刷するものであってもよい。
【００３４】
図１に例示されるように、本実施の形態のエリア表示システム５又はエリア図情報生成システム１０は、電力系統２０に通信可能に接続された監視制御装置３０に対して、制御系ネットワーク４０を通じて接続可能となっている。この監視制御装置３０は、電力系統２０の状態を監視する機能を有する情報処理装置であり、後述するように、電力系統２０に事故が発生した場合この事故箇所を特定するデータである電力系統設備情報のデータを出力する機能を有する。また、この監視制御装置３０は、電力系統２０を管理する電力会社に属する系統運用者により管理されるものである。
【００３５】
また、図１に例示されるように、本実施の形態のエリア表示システム５又はエリア図情報生成システム１０は、後述する区間のデータとエリアのデータとを生成する機能を有する情報処理装置である配電自動化用サーバ５００又は当該サーバ５００を備える配電自動化システム５０に対してＬＡＮ等を通じて接続可能となっている。この配電自動化用サーバ５００は、区間のデータ及びエリアのデータを相互に対応付けて記憶する区間・エリア対応データベース５０１を備えている。
【００３６】
尚、本実施の形態のエリア図情報生成システム１０は、複数の監視制御装置３０からの電力系統設備情報のデータを一括して処理するのに好適な場所に設置され、電力会社の下で管理されるものであるが、これに限定されるものではない。例えば監視制御装置３０の近傍に設けられ、この監視制御装置３０とともに系統運用者により管理されるものであってもよい。また、例えば配電自動化システム５０も、エリア図情報生成システム１０の近傍に設けられ、ともに系統運用者により管理されるものであってもよい。
【００３７】
また、本実施の形態のエリア図情報生成システム１０は、複数の情報処理装置群１１０、１２０、１３０、１４０、１５０により構成されるものであるが、これに限定されるものではなく、例えば１台の情報処理装置からなるものであってもよい。
【００３８】
図２の概念図に例示されるように、配電自動化システム５０は、電力系統設備の接続状態のデータと、複数の行政界の領域（エリア）に分割された地図のデータとを重ね合わせることにより、電力系統設備と、当該電力系統設備を通じて電力が供給されるエリアとの対応付けを実行し、区間・エリア対応データベース５０１（図３参照）を生成する。図２によれば、Ａ変電所のＮｏ１母線からは遮断器ＣＢを介して複数のフィーダ（ａフィーダ、ｂフィーダ）が引き出され、各フィーダには複数の開閉器ＤＭが設けられている。同様に、Ｂ変電所のＮｏ２母線からは遮断器ＣＢを介して複数のフィーダ（ｃフィーダ、ｄフィーダ）が引き出され、各フィーダには複数の開閉器ＤＭが設けられている。これらのフィーダを通じて、一点鎖線で囲まれた各エリアに電力が供給される。具体的には、各フィーダにおける開閉器ＤＭ間の各区間（例えば区間１乃至４）と、当該区間から電力が供給されるエリアとが対応付けられる。
【００３９】
図３の図表に例示されるように、区間・エリア対応データベース５０１では、例えば、Ａ変電所のＮｏ１母線のａフィーダの区間１（図２）に対して、Ｘ県○○市○×町１丁目なる行政界名（都道府県名、市区町村名、町大字名、町丁目名、エリア情報、第１エリア情報、第２エリア情報）で示されるエリアが対応付けられている。この対応付けは、Ａ変電所、Ｎｏ１母線、ａフィーダの少なくとも何れかで事故が発生すれば、少なくともＸ県○○市○×町１丁目は停電エリア又は瞬低エリアとなることを意味する（図２）。
【００４０】
尚、配電自動化システム５０の処理に用いられる地図のデータは、前述した複数の行政界の領域から構成される一般の地図がデータ化されたものであり、これは、例えばエリア図情報生成システム１０における地図サーバ１４０が備える地図情報データベース１４１から適宜読み出されたものでもよい。
【００４１】
図４（ａ）の図表に例示される非境界エリア情報データベース（エリア情報記憶部）１２１は、前述した区間・エリア対応データベース５０１（図３）が、エリア図情報生成システム１０におけるアプリケーションサーバ１１０により適宜変換されたもののうち、１つのエリアに対して１つの電力系統設備が対応付けられたものである。図４（ａ）では、各フィーダに対して複数のエリアが対応しているが、これらの複数のエリアには、複数の行政界名で示される複数の領域がそれぞれ対応しているものとする。これらの複数のエリアは、例えば或る変電所の或る母線の或るフィーダに事故が発生したとき停電又は瞬低が起きたエリアである。尚、前述したように、１つのエリアに対して１つの電力系統設備が対応付けられているため、図４（ａ）に例示される複数のエリアには、同一の２つ以上のエリアは存在しないことになる。つまり、該当の１つの電力系統設備に事故が発生すれば、エリア内の全部で停電又は瞬低が必ず起きたことになる。以後、このようなエリアを非境界エリアと呼ぶ。
【００４２】
図４（ｂ）の図表に例示される境界エリア情報データベース（エリア情報記憶部）１２２は、前述した区間・エリア対応データベース５０１（図３）が、エリア図情報生成システム１０におけるアプリケーションサーバ１１０により適宜変換されたもののうち、１つのエリアに対して２つ以上の電力系統設備が対応付けられたものである。これらの複数の電力系統設備は、ここで事故が発生したとき該当の１つのエリア内で停電又は瞬低が起きたような電力系統設備の全部である。逆に、例えば或る１つのエリアでは、該当の一部分の電力系統設備に事故が発生しても、他の部分の電力系統設備に事故が発生していない限り、停電及び瞬低の何れも起きていない可能性がある。以後、このようなエリアを境界エリアと呼ぶ。
【００４３】
前述したように、非境界エリア情報データベース１２１（図４（ａ））及び境界エリア情報データベース１２２（図４（ｂ））は、配電自動化システム５０における区間・エリア対応データベース５０１（図３）が適宜変換されて生成されるものである。例えば系統運用者がシステム監視装置１５０のキーボード及びマウスを適宜操作することにより、アプリケーションサーバ１１０はこれらの変換処理を実行する。図５は、システム監視装置１５０が有するカラーディスプレイ１５０ａに表示された、行政界名のデータを登録するためのメニュー画面例を示す模式図である。図５（ａ）に例示されるように、システム監視装置１５０を通じて、「Ｘ県Ｙ市Ｚ町４丁目」といった行政界名がデータとしてアプリケーションサーバ１１０に入力される。このアプリケーションサーバ１１０は、地図情報データベース（地図情報記憶部）１４１に記憶された地図情報データを地図サーバ１４０に読み出させ、図５（ｂ）に例示されるように、登録された行政界名の示す領域を特定する色を設定してシステム監視装置１５０のカラーディスプレイ１５０ａに表示させる。これにより、系統運用者は、停電・瞬低表示テストの結果を確認できる。尚、システム監視装置１５０には、図５に例示されるメニュー画面をカラーディスプレイ１５０ａに表示させるための適宜なブラウザプログラムがインストールされているものとする。
【００４４】
＝＝＝停電・瞬低エリア図情報生成方法＝＝＝
図６に例示されるフローチャートに基づいて、前述した構成を有するエリア図情報生成システム１０がエリア図情報データを生成する処理の手順について説明する。
【００４５】
例えば、図２に電力系統図が例示されている電力系統２０において、或る電力系統設備に事故が発生したとする。監視制御装置３０は、この事故に関する情報を電力系統２０から適宜受信すると、この事故が発生した旨の情報に事故箇所を特定する情報（電力系統設備情報）を対応付けて、エリア図情報生成システム１０に送信する。そして、エリア図情報生成システム１０は、これらの情報を受信する（Ｓ１００）。
【００４６】
次に、エリア図情報生成システム１０は、非境界エリア情報データベース１２１（図４（ａ））及び境界エリア情報データベース１２２（図４（ａ））を参照し、事故箇所に対応付けられたエリアを読み出す（Ｓ１０１）。
【００４７】
次に、エリア図情報生成システム１０は、境界エリア情報データベース１２２から読み出されたエリアである境界エリアのうち、事故の発生していない電力系統設備が更に対応付けられている境界エリアの有無を判定する（Ｓ１０２）。
【００４８】
もし、事故の発生していない電力系統設備が更に対応付けられている境界エリアがあれば（Ｓ１０２：ＹＥＳ）、この境界エリアにおける停電又は瞬低の有無を判断できないため、エリア図情報生成システム１０は、この境界エリアには例えば灰色（特定情報）を設定する。このエリアは、停電及び瞬低が起きていないとは断定できないエリアであるため、以後、不確定エリアと呼ぶ。また、読み出された境界エリアのうち、事故の発生していない電力系統設備が対応付けられていない境界エリアでは、停電又は瞬低が起きたことが確定しているため、エリア図情報生成システム１０は、この境界エリアには停電を示す色である赤色（特定情報）又は瞬低を示す色である青色（特定情報）を設定する。同様に、読み出された非境界エリアでは停電又は瞬低が起きたことが確定しているため、エリア図情報生成システム１０は、この非境界エリアには赤色又は青色を設定する（Ｓ１０３）。
【００４９】
一方、事故の発生していない電力系統設備が更に対応付けられている境界エリアがなければ（Ｓ１０２：ＮＯ）、この境界エリアでは、停電又は瞬低が起きたことが確定しているため、エリア図情報生成システム１０は、この境界エリアには赤色又は青色を設定する。同様に、読み出された非境界エリアは停電又は瞬低が起きたことが確定しているため、エリア図情報生成システム１０は、この非境界エリアには赤色又は青色を設定する（Ｓ１０４）。
【００５０】
尚、前述した赤色、青色、又は灰色で表示されたエリア以外のエリアは、停電及び瞬低の何れも起きていないエリアを示すものであり、このエリアには下地の色として例えば白色（特定情報）がデフォルトで設定されているものとする。
【００５１】
次に、エリア図情報生成システム１０は、地図情報データベース１４１から地図情報データを読み出し、該当のエリアに対応する色のデータを前述した色のデータに設定し直し、エリア図情報データとして地図情報データベース１４１に記憶させる（Ｓ１０５）。
【００５２】
本実施の形態では、エリア図情報生成システム１０が、地図情報データベース１４１をＷｅｂページのリソースとし、ステップＳ１０４において生成したエリア図情報データ（停電・瞬低エリア図情報）に対応するＵＲＬを端末６０に送信するものとする。このＵＲＬを用いてリソースにアクセスすることにより、閲覧者は、端末６０のカラーディスプレイ６０ａにおいて停電又は瞬低エリア及び不確定エリアが表示された地図を閲覧できる（図７参照）。
【００５３】
図７では、最も濃いパターンで表示された「○○町３丁目」及び「△△町１丁目」なる行政界名（第１エリア情報、事故の発生していない電力系統設備を含まない第２エリア情報）の示す領域（エリア）が、カラーディスプレイ（表示部）６０ａ上では青色（特定情報、色情報）となって瞬低エリアであるとされる。
【００５４】
また、図７では、中程度の濃さのパターンで表示された「○○町１丁目」、「○○町２丁目」、「○○町４丁目」なる行政界名（第１エリア情報、事故の発生していない電力系統設備を含まない第２エリア情報）の示す領域が、カラーディスプレイ６０ａ上では赤色（特定情報、色情報）となって停電エリアであるとされる。
【００５５】
更に、図７では、最も薄いパターンで表示された「××町２丁目」なる行政界名（事故の発生していない電力系統設備を含む第２エリア情報）の示す領域が、カラーディスプレイ６０ａ上では灰色（特定情報、色情報）となって不確定エリアであるとされる。
【００５６】
尚、図７では、前述した青色、赤色、及び灰色で表示された領域以外の領域が、停電及び瞬低が起きていないエリアに相当する。また、端末６０には、図７に例示される地図をカラーディスプレイ６０ａに表示させるための適宜なブラウザプログラム（表示部）がインストールされているものとする。
【００５７】
本実施の形態のエリア図情報生成システム１０によれば、非境界エリア情報データベース１２１及び境界エリア情報データベース１２２といった表データを参照し、監視制御装置３０により出力された電力系統設備情報に対応付けられたエリア情報を読み出すことにより、停電又は瞬低が起きたエリア、及び停電及び瞬低が起きていないとは断定できないエリア（不確定エリア）を取得できる。また、このエリア情報は行政界名であるため、一般の地図のデータに対してこの行政界名に該当する領域の色のデータを適宜設定すれば、停電又は瞬低エリア及び不確定エリアを色表示した地図のデータを生成できる。このような地図のデータには、例えば電力系統図の変更に伴いポリゴンデータ及び行政界名のデータを変更するといったメインテナンスの必要がない。本実施の形態で必要となるメインテナンスは、非境界エリア情報データベース１２１及び境界エリア情報データベース１２２といった表データに対するメインテナンスであって、具体的には電力系統図の変更等に応じて図５のメニュー画面で行政界名を登録し直せばよい。よって、地図のデータのメインテナンスが効率的となる。
【００５８】
尚、本実施の形態のエリア情報生成システム１０におけるアプリケーションサーバ１１０、データベースサーバ１２０、及び地図サーバ１４０がそれぞれ有するＣＰＵと、当該ＣＰＵに前述したステップＳ１００乃至Ｓ１０５の動作を実行させる適宜なプログラムが、停電・瞬低エリア図情報生成部に相当する。また、本実施の形態のエリア図情報生成システム１０におけるアプリケーションサーバ１１０が有するＣＰＵと、当該ＣＰＵに前述したステップＳ１０１の動作を実行させる適宜なプログラムが、判定部及び第１判定部に相当する。また、本実施の形態のエリア図情報生成システム１０におけるアプリケーションサーバ１１０が有するＣＰＵと、当該ＣＰＵに前述したステップＳ１０２の動作を実行させる適宜なプログラムが、第２判定部に相当する。
【００５９】
＝＝＝その他の実施の形態＝＝＝
前述した発明の実施の形態は、本発明の理解を容易にするためのものであり、本発明を限定して解釈するためのものではない。本発明は、その趣旨を逸脱することなく変更、改良され得るとともに、本発明にはその等価物も含まれる。
【００６０】
前述した実施の形態では、ステップＳ１０２において、境界エリア情報の示すエリアが停電又は瞬低が起きたエリア、及び停電及び瞬低が起きていないとは断定できないエリアの何れであるかを判定したが、これに限定されるものではない。例えば、このような判定をせずに、非境界エリア情報の示すエリアと境界エリア情報の示すエリアとを色分けして表示するだけでもよい。但し、この場合、境界エリア情報の示す停電及び瞬低が起きていないとは断定できないエリアに対して停電又は瞬低が起きたエリアがノイズとして含まれることになり、前述した赤、青、灰色からなる色分け表示に比べて精度が低下する。
【００６１】
また、前述した実施の形態では、停電・瞬低エリア図を端末６０のディスプレイ６０ａに表示し電力会社の社員の閲覧に供するものであったが、これに限定されるものではなく、これをシステム監視装置１５０のカラーディスプレイ１５０ａに表示し系統運用者が閲覧するものであってもよい。
【００６２】
また、前述した実施の形態では、停電又は瞬低エリアを色表示するものであったが、これに限定されるものではなく、例えばパターン表示であってもよい。要するに、ディスプレイにおいて人間が視認できるものであれば如何なる表示形態をとってもよい。
【００６３】
また、前述した実施の形態では、配電自動化システム５０はエリア図情報生成システム１０と独立したシステムとしたが、これに限定されるものではない。例えば、エリア図情報生成システム１０は配電自動化システム５０を含むシステム又は装置であってもよい。
【図面の簡単な説明】
【００６４】
【図１】本実施の形態のエリア表示システム、配電自動化システム、監視制御装置の構成例を示すブロック図である。
【図２】本実施の形態の区間・エリア対応データベースを生成すべく電力系統図及び地図を重ね合わせた概念図である。
【図３】本実施の形態の区間・エリア対応データベースの構成例を示す図表である。
【図４】（ａ）は、本実施の形態の非境界エリア情報データベースの構成例を示す図表であり、（ｂ）は、本実施の形態の境界エリア情報データベースの構成例を示す図表である。
【図５】本実施の形態のシステム監視装置のカラーディスプレイにおける、行政界名のデータを登録するためのメニューの表示例を示す模式図である。
【図６】本実施の形態のエリア図情報生成システムの処理の手順を示すフローチャートである。
【図７】本実施の形態の端末のカラーディスプレイにおける、停電・瞬低エリア図の表示例を示す模式図である。
【符号の説明】
【００６５】
５  エリア表示システム              １０  エリア図情報生成システム
２０  電力系統                        ３０  監視制御装置
４０  制御系ネットワーク              ５０  配電自動化システム
６０  端末                            ６０ａ、１５０ａ  カラーディスプレイ
７０  イントラネット                １１０  アプリケーションサーバ
１２０  データベースサーバ            １２１  非境界エリア情報データベース
１２２  境界エリア情報データベース    １３０  ＷＷＷサーバ
１４０  地図サーバ                    １４１  地図情報データベース
１５０  システム監視装置              １６０  ファイアウォール
１７０  通信網                        ５００  配電自動化用サーバ
５０１  区間・エリア対応データベース
【図１】
2006149026.tif 000003
【図２】
2006149026.tif 000004
【図３】
2006149026.tif 000005
【図４】
2006149026.tif 000006
【図６】
2006149026.tif 000007
【図５】
2006149026.tif 000008
【図７】
2006149026.tif 000009